(57)【特許請求の範囲】
【請求項１】
ハンドル軸の側板外突出端の外周に設けた雄螺子部に、ドラグの調節体を回転操作可能に螺着した魚釣用リールに於て、
前記雄螺子部に螺着する調節体の雌螺子部の軸方向に、該雌螺子部より大径な環状凹部を形成すると共に、該環状凹部に前記雄螺子部の外周に当接する支持部材を装着し、該支持部材を介して調節体をハンドル軸の雄螺子部に支持したことを特徴とする魚釣用リール。
【請求項２】
前記環状凹部は、調節体の雌螺子部の軸方向の一側または両側に形成され、該環状凹部に、前記支持部材が装着されていることを特徴とする請求項１に記載の魚釣用リール。
【請求項３】
前記雄螺子部の雄螺子の先端は、前記支持部材の内周に沿って切削されていることを特徴とする請求項１または請求項２に記載の魚釣用リール。
【発明の詳細な説明】
【技術分野】
【０００１】
本発明は魚釣用リールに係り、詳しくはハンドル軸に装着した調節体の回転操作で、リール本体に回転自在に支持したスプールに制動力を付与するドラグを備えた魚釣用リールに関する。
【背景技術】
【０００２】
従来、両軸リールや電動リール等の魚釣用リールには、ハンドルが取り付くハンドル軸がリール本体に回転自在に取り付けられており、一般的にリール本体のフレームに、ハンドル軸の基端部（挿入側先端）が軸受を介して回転自在に支持され、リール本体の側板に設けた支持部に、ハンドル軸の他端側が軸受を介して回転自在に支持されている。そして、前記ハンドル軸に、スプール軸のクラッチ部に係脱可能なピニオンギヤに噛合するドライブギヤが、ドラグのドラグ力（圧接力）によって回転自在に摩擦結合されている。
【０００３】
而して、ドラグ力の強弱は、ハンドル軸に装着した調節体（一例として、放射方向に複数の操作部を周方向に設けた星形の調節体であるスタードラグ）の回転操作によって調節できるようになっており、特許文献１に開示されるように調節体は、ハンドル軸の側板外突出端の外周に設けた雄螺子部に螺着されている。そして、前記調節体の回転操作で、ドラグのワッシャやライニング材からなる制動部材がハンドル軸の軸方向へ進退移動して、ハンドル軸に対するドライブギヤの摩擦結合力が調節され、ドライブギヤに噛合するピニオンギヤを介してスプールが制動される。
【特許文献１】実開昭６３−１０７１７５号公報
【発明の開示】
【発明が解決しようとする課題】
【０００４】
このように、従来の魚釣用リールは、ハンドル軸の側板外突出端の外周に雄螺子部を設け、該雄螺子部に調節体を回転操作可能に螺着した構造となっている。
【０００５】
しかし乍ら、斯様に調節体が、加工精度に同芯度も含めて限界のあるハンドル軸外周に加工された雄螺子部に螺着した構造上、調節体の回転操作時に該調節体に回転振れや回転ムラが発生する虞があり、斯様に回転振れや回転ムラが発生すると、調節体の回転操作の円滑性が損なわれてしまうこととなる。
【０００６】
このため、釣場の状況変化により調節体を回転操作してスプールに対する制動力の強弱調節を頻繁に行う場合、また、ハンドルを保持した手の指で調節体の回転操作を行うベイトキャスティングリールの場合等に於ては、特に、調節体の回転性能低下を回避し、制動力調節操作性の向上が課題となっている。
【０００７】
また、調節体はハンドル軸に取り付いた状態でハンドルと連動回転するため、ハンドルの回転操作によって調節体の回転振れが生じてしまうと精密感，高級性に欠け、店頭に於ての購買意欲を低下させてしまうことも課題となっていた。
【０００８】
本発明は斯かる実情に鑑み案出されたもので、調節体の回転操作時の回転振れや回転ムラをなくして、調節体の円滑な操作性を確保した魚釣用リールを提供することを目的とする。
【課題を解決するための手段】
【０００９】
斯かる目的を達成するため、請求項１に係る発明は、ハンドル軸の側板外突出端の外周に設けた雄螺子部に、ドラグの調節体を回転操作可能に螺着した魚釣用リールに於て、前記雄螺子部に螺着する調節体の雌螺子部の軸方向に、該雌螺子部より大径な環状凹部を形成すると共に、該環状凹部に前記雄螺子部の外周に当接する支持部材を装着し、該支持部材を介して調節体をハンドル軸の雄螺子部に支持したことを特徴とする。
【００１０】
そして、請求項２に係る発明は、請求項１に記載の魚釣用リールに於て、前記環状凹部は、調節体の雌螺子部の軸方向の一側または両側に形成され、該環状凹部に、前記支持部材が装着されていることを特徴とし、請求項３に係る発明は、請求項１または請求項２に記載の魚釣用リールに於て、前記雄螺子部の雄螺子の先端は、前記支持部材の内周に沿って切削されていることを特徴とする。
【発明の効果】
【００１１】
各請求項に係る発明によれば、調節体の回転操作時に回転振れや回転ムラが発生することがなく、従来に比し調節体による円滑な制動力の調節操作が行えると共に、精密感，高級性が増して店頭に於ける購買意欲を向上させることが可能となった。
【００１２】
また、請求項２に係る発明によれば、支持部材を雌螺子部の軸方向両側に設けることで、調節体の回転操作時に於ける回転振れや回転ムラの発生をより確実に防止することが可能となる。
【００１３】
そして、請求項３に係る発明によれば、雄螺子部の雄螺子の先端を支持部材の内周に沿って切削しているため、支持部材による調節体の回転支持性能が更に良好となる。
【発明を実施するための最良の形態】
【００１４】
以下、本発明の実施形態を図面に基づいて詳細に説明する。
【００１５】
図１乃至図３は請求項１乃至請求項３に係る魚釣用リールの第一実施形態を示し、図１に於て、１，３は左右のフレーム５，７に取り付く左側板と右側板で、両側板１，３とフレーム５，７によって魚釣用リール９のリール本体１１が構成され、左側板１は、フレーム５に螺着される環状リング１３によって該フレーム５に着脱自在に取り付き、右側板３は、フレーム７に螺着されるネジ１５によって該フレーム７に着脱自在に取り付けられている。
【００１６】
そして、両側板１，３間に、左側板１に装着した軸受１７とフレーム７に装着した軸受１９によってスプール軸２１が回転可能に支持され、該スプール軸２１にスプール２３が一体的に取り付けられている。そして、右側板３側に突出したスプール軸２１に、径方向外方に突出したピンからなるクラッチ部２５が形成されており、該クラッチ部２５に係脱可能なピニオンギヤ２７が、フレーム７と側板３に装着した軸受２９，３１によってスプール軸２１に回転可能且つその軸方向へ往復動可能に取り付けられている。
【００１７】
また、スプール２３後方の両側板１，３間に、スプール２３をスプールフリー状態（クラッチＯＦＦ）と釣糸巻取り状態（クラッチＯＮ）とに切り換えるクラッチレバー（図示せず）が下方へ押圧操作可能に装着されており、該クラッチレバーを下方へ押圧操作すると、ピニオンギヤ２７の外周に設けた環状溝３３に係合するクラッチプレート３５が、クラッチ部２５に対するピニオンギヤ２７のクラッチ結合を解除してスプール２３をスプールフリー状態に切り換え、そして、後述するようにハンドル３７の巻取り操作でピニオンギヤ２７がクラッチ部２５にクラッチ結合して、スプール２３が釣糸巻取り状態に自動復帰するようになっている。
【００１８】
そして、図１に示すように右側のフレーム７と、右側板３に設けた支持部３９との間に、ハンドル３７が取り付くハンドル軸４１が軸受４３，４５を介して回転可能に支持されており、該ハンドル軸４１に、前記ピニオンギヤ２７に噛合するドライブギヤ４７がドラグ４９によって回転可能に摩擦結合されている。
【００１９】
ドライブギヤ４７はハンドル３７側が開口し、反ハンドル側が閉鎖された筒状をなし、この筒状の内部空間にドラグ４９が収容されている。周知のようにドラグ４９は、ドライブギヤ４７と共に一体回転してハンドル軸４１の軸方向へ移動可能に配された複数のワッシャ５１と、ハンドル軸４１の軸方向へ移動可能に該ハンドル軸４１に回り止め嵌合されたワッシャ（制動部材）５３と、これらの間に配されたライニング材５５や押圧カラー５７，皿ばね５９等で構成されている。
【００２０】
そして、図２に示すようにハンドル軸４１の右側板外突出端の外周に設けた雄螺子部６１に、ハンドルナット６３と、放射方向に複数の操作部を周方向に設けた星形の調節体（以下、「スタードラグ」という）６５が螺着されており、該ハンドルナット６３を介してハンドル３７がハンドル軸４１に取り付き、また、スタードラグ６５の回転操作で前記ワッシャ５１，５３やライニング材５５，押圧カラー５７が軸方向へ進退移動して、ハンドル軸４１に対するドライブギヤ４７の摩擦結合力が調節されるようになっている。そして、ハンドル３７の回転力が、ドラグ４９を介してドライブギヤ４７，ピニオンギヤ２７からスプール軸２１に伝達されてスプール２３が回転し、クラッチレバーによるクラッチＯＦＦの操作で、スプール軸２１へのハンドル３７の回転力が遮断される。
【００２１】
また、図２に於て、６７はスタードラグ６５の中央に設けた螺子孔で、その内周に、ハンドル軸４１の雄螺子部６１に螺着する雌螺子部６９が形成されている。そして、該雌螺子部６９のハンドル３７側の一側端に、該雌螺子部６９より大径な環状凹部７１が軸方向に沿って設けられており、図３に示すように該環状凹部７１は、雄螺子部６１の雄螺子７３の複数ピッチ分の長さＬを以って形成されている。
【００２２】
そして、前記環状凹部７１内に、前記雄螺子部６１の外周、即ち、雄螺子部６１の複数の雄螺子７３の先端に当接する環状の支持部材７５が装着，固定されており、該支持部材７５の内周７７が雄螺子部６１の複数の雄螺子７３の先端に当接して、スタードラグ６５をハンドル軸４１の雄螺子部６１に支持している。
【００２３】
尚、斯様に支持部材７５の内周７７が雄螺子部６１の雄螺子７３の先端に当接してスタードラグ６５を雄螺子部６１に支持する構造上、支持部材７５には銅合金，アルミニウム合金，鉄系等の金属材を使用することが好ましい。そして、例えばアルミ材を用いた場合には、その表面に硬質アルマイト処理を施す等、硬質表面処理を施すことが好ましい。
【００２４】
更に、図３に示すように雄螺子部６１の各雄螺子７３の先端は、スタードラグ６５の螺着締結に強度面で支障のない程度（約０．１〜０．２ｍｍ程度）で、前記支持部材７５の内周７７に沿って切削Ｓされており、斯様に雄螺子７３の先端を切削Ｓすることで、支持部材７５による接触状態が線接触から面接触になってスタードラグ６５の回転支持性能の向上が図られている。
【００２５】
尚、斯様に雄螺子７３の先端を切削Ｓすることにより、支持部材７５の材料として樹脂材（一例としてポリアセタール等）の使用も可能となる。
【００２６】
その他、図１に於て、７９はハンドル軸４１（押圧カラー５７の外周）に装着された転がり式一方向クラッチで、該転がり式一方向クラッチ７９の楔作用によって、ハンドル軸４１の巻き取り方向の正回転を許容し、逆回転を防止する逆転防止装置を構成している。
【００２７】
また、図１に示すようにハンドル軸４１の挿入先端側にクラッチ復帰ギヤ８１が取り付けられており、クラッチＯＦＦ状態でハンドル３７を釣糸巻取り方向へ回転操作すると、該クラッチ復帰ギヤ８１に係止していた図示しない係止部材やクラッチ作動部材８３によってクラッチレバーがクラッチＯＮの位置に復帰すると共に、図示しないコイルスプリングのバネ力でクラッチプレート３５がピニオンギヤ２７をクラッチ部２５にクラッチ結合させて、スプール２３が釣糸巻き取り状態（クラッチＯＮ）に自動復帰するようになっている。
【００２８】
本実施形態はこのように構成されているから、スタードラグ６５の回転操作でドラグ４９のワッシャ５１，５３やライニング材５５，押圧カラー５７等が軸方向へ進退移動して、ハンドル軸４１に対するドライブギヤ４７の摩擦結合力が調節され、ドライブギヤ４７に噛合するピニオンギヤ２７を介してスプール２３が制動される。
【００２９】
そして、スタードラグ６５の環状凹部７１内に装着，固定した支持部材７５の内周７７が前記雄螺子部６１の複数の雄螺子７３の先端に当接して、該支持部材７５がスタードラグ６５を雄螺子７３の複数ピッチ分に亘ってハンドル軸４１上に支持するため、スタードラグ６５の回転操作時の回転振れや回転ムラの発生が抑制される。
【００３０】
而も、図３に示すように雄螺子部６１の各雄螺子７３の先端は、スタードラグ６５の螺着締結に支障のない程度で支持部材７５の内周７７に沿って切削Ｓされているため、支持部材７５によるスタードラグ６５の回転支持性能が良好となる。
【００３１】
従って、本実施形態によれば、スタードラグ６５の回転操作時に回転振れや回転ムラが発生することがなくなり、この結果、従来に比しスタードラグ６５による円滑な制動力の調節操作が行えると共に、精密感，高級性が増して店頭に於ける購買意欲を向上させることが可能となった。
【００３２】
図４は請求項１乃至請求項３の第二実施形態に係る魚釣用リールを示し、本実施形態は、前記スタードラグ６５の構成に加え、スタードラグ６５-1の雌螺子部６９の反ハンドル３７側端部にも、該雌螺子部６９より大径な環状凹部８５を軸方向に沿って雄螺子部６１の雄螺子７３の複数ピッチ分の長さを以って形成し、該環状凹部８５内に前記支持部材７５と同一材料からなる環状の支持部材８７を装着，固定して、該支持部材８７の内周８９を雄螺子部６１の複数の雄螺子７３の先端に当接させたものである。
【００３３】
このように本実施形態は、支持部材７５，８７を雌螺子部６９の軸方向両側に設けたため、スタードラグ６５の回転操作時に於ける回転振れや回転ムラの発生をより確実に防止することが可能となる。
【００３４】
尚、前記各実施形態では、調節体の一例として、放射方向に複数の操作部を周方向に設けた星形の調節体であるスタードラグを用いたが、外周に凹凸を有するダイヤル状の調節体を使用してもよく、調節体の形態は種々変更可能である。
【図面の簡単な説明】
【００３５】
【図１】請求項１乃至請求項３の第一実施形態に係る魚釣用リールの断面図である。
【図２】図１に示す魚釣用リールの要部断面図である。
【図３】図２のＡ部拡大断面図である。
【図４】請求項１乃至請求項３の第二実施形態に係る魚釣用リールの要部断面図である。
【符号の説明】
【００３６】
１  左側板
３  右側板
５，７  フレーム
９  魚釣用リール
１１  リール本体
２１  スプール軸
２３  スプール
２７  ピニオンギヤ
３７  ハンドル
４１  ハンドル軸
４７  ドライブギヤ
４９  ドラグ
５１，５３  ワッシャ
５５  ライニング材
５７  押圧カラー
５９  皿ばね
６１  雄螺子部
６５，６５-1  スタードラグ（調節体）
６７  螺子孔
６９  雌螺子部
７１，８５  環状凹部
７３  雄螺子
７５，８７  支持部材
７７，８９  支持部材の内周
【図１】
0004795323.tif 000002
【図２】
0004795323.tif 000003
【図３】
0004795323.tif 000004
【図４】
0004795323.tif 000005